(57)【特許請求の範囲】
【請求項１】
挿入口から挿入された紙葉類を搬送通路に沿って搬送して識別し、前記紙葉類が、前記搬送通路を通過後、当該搬送通路を遮断するとともに、前記挿入口への紙葉類の挿入を検知して引込動作部を介して前記搬送通路の遮断を解除するシャッタ部材を備えた紙葉類識別収納装置において、
前記シャッタ部材は、複数設けられるとともに、前記夫々のシャッタ部材は、少なくとも紙葉類の先端が通過してから前記搬送通路の遮断を行う夫々分割して動作する少なくとも２個のシャッタ爪を備え、更に、前記複数のシャッタ部材の内の一つのみが移動したときに、警報を発する装置を備えていることを特徴とする紙葉類識別収納装置。
【請求項２】
請求項１記載の紙葉類識別収納装置において、前記引込動作部はソレノイドと前記ソレノイドに駆動されるソレノイドプランジャーに連結されたリンクを備え、前記シャッタ部材は、前記搬送路を遮断する方向に常に付勢されており、前記リンクは、前記遮断を解除するように駆動されることを特徴とする紙葉類識別収納装置。
【発明の詳細な説明】
【０００１】
【産業上の利用分野】
本発明は，紙，紙幣，手紙，葉書等の紙葉類を識別する装置に関し，詳しくは，紙葉類識別収納装置の引き抜き防止のためのシャッタ部材の分割した動作に関する。
【０００２】
【従来の技術】
従来，例えば，図５に示される紙葉類識別収納装置が知られている。図５を参照して，従来の紙葉類識別収納装置は，フロントマスク５０とインナーシュート５２とアウターシュート６０とカセット７０とを備えている。
【０００３】
フロントマスク５０の前面部５１に挿入口５３を構成し，この挿入口５３からインナーシュート５２及びアウターシュート６０の夫々の壁部によって，紙葉類１００を収納するカセット７０に至る逆Ｌ字型の搬送路５４を形成している。
【０００４】
フロントマスク５０は前方に突出した前面部５１を備えている。前面部５１の上面は挿入口５３の下側を形成している。
【０００５】
インナーシュート５２には，搬送路５４側に読取部が位置し，通過した紙葉類の予め定められた符号もしくはパターンを識別する磁気ヘッド５５と光学センサー５６とが設けられている。
【０００６】
また，インナーシュート５２の上端と下端には，プーリ５７，５８が夫々設けられ，その間に搬送ベルト５９が懸架されている。
【０００７】
アウターシュート６０には，搬送路５４に突出して，挿入検知爪６１が設けられ，フロントマスク５０側のプーリ５７に接触するように，ローラ６２及び６３が設けられている。また，アウターシュート６０の下端寄りに搬送路を水平方向に貫通して，シャッタ爪６５ａを備えたシャッタ部６５が設けられている。このシャッタ部６５は，ソレノイド６４によって駆動される。また，インナーシュート５２の光学センサー５６に搬送路５４を介して対向して光学センサー６６が設けられている。また，搬送路５４に突出してエスクロレバー６７と下端に突出して規制片６８が設けられている。この規制片６８は収納された紙葉類の端部の正面側への移動を規制する。ここで，正面側は挿入口５３のある向きとする。
【０００８】
カセット７０は，正面側に紙葉類の両側をガイドするカセットレール７１を備えている。カセットレール７１の前方には，スタッカプレート７２及びスタッカリンク７３等のスタッカ部材７４を備えている。カセットレール７１の上方には，プーリ５８と接触するローラ７５が設けられている。搬送通路５４を通過して収納された紙葉類１００は，カセットスプリング７７によって，カセットプレート７６を介して，正面側に向かって付勢されている。そして，端部は規制片６８により規制され，レールよりも前方への移動を阻止されている。
【０００９】
このような紙葉類挿入時に搬送路を遮断・開閉する技術は，特開昭５４−１３００９６号公報，実公昭５８−４７４８０号公報（以下，従来例１及び２と呼ぶ）に示されている。この紙葉類判別装置には，紙幣識別機の搬送路遮断要素と遮断要素の動作状態に関して報告されている。また，実開平１−１７２１６９号（以下，従来技術３と呼ぶ）には，収納された紙葉類の引き抜き防止のために，搬送通路を遮断するシャッタ部材の形状に関してクビレ形状を有するものが報告されている。
【００１０】
【発明が解決しようとする課題】
しかしながら，一時保留状態の紙葉類の引き抜きのいたずらを行うときに，紐を搬送通路を遮断しているシャッタ爪に引っ掛け，一方のシャッタ爪を紐により押し下げると，他方のシャッタ部のシャッタ爪が連動しているので，一か所のシャッタ爪を押し込んだだけで，すべてのシャッタ爪が搬送通路外へ押し込まれてしまい，紙葉類の引き抜きが容易に行え，紙葉類を抜き取られるおそれが有る。
【００１１】
そこで，本発明の技術的課題は，シャッタ部を備えた構造を有しながら，一端収納した紙葉類が容易に引き抜けない紙葉類識別収納装置を提供することにある。
【００１２】
【課題を解決するための手段】
本発明によれば、挿入口から挿入された紙葉類を搬送通路に沿って搬送して識別し、前記紙葉類が、前記搬送通路を通過後、当該搬送通路を遮断するとともに、前記挿入口への紙葉類の挿入を検知して引込動作部を介して前記搬送通路の遮断を解除するシャッタ部材を備えた紙葉類識別収納装置において、前記シャッタ部材は、複数設けられるとともに、前記夫々のシャッタ部材は、少なくとも紙葉類の先端が通過してから前記搬送通路の遮断を行う夫々分割して動作する少なくとも２個のシャッタ爪を備え、更に、前記複数のシャッタ部材の内の一つのみが移動したときに、警報を発する装置を備えていることを特徴とする紙葉類識別収納装置が得られる。
【００１３】
また，本発明によれば，前記紙葉類識別収納装置において，前記引き込み動作部はソレノイドと前記ソレノイドに駆動されるソレノイドプランジャーに連結されたリンクを備え，前記シャッタ部材は，前記搬送路を遮断する方向に常に付勢されており，前記リンクは，前記遮断を解除するように駆動されることを特徴とする紙葉類識別収納装置が得られる。
【００１４】
【作用】
上記構成の本発明においては，挿入された紙葉類の引き抜きを防止するシャッタ爪の動作を少なくとも２個以上に分割することによって，一か所のシャッタ爪を押し込んだだけでは，全てのシャッタ爪が搬送通路外へ押し込まれることがないために，引き抜きが容易に行えない。
【００１５】
【実施例】
以下，本発明の実施例について，図面を参照して説明する。
【００１６】
図１は本発明の紙葉類識別収納装置の一例を示す側面図である。
【００１７】
図１を参照して，紙葉類識別収納装置は，フロントマスク５０とインナーシュート５２とアウターシュート６０とカセット７０とを備えている。フロントマスク５０の前面部５１に挿入口５３を構成し，この挿入口５３からフロントマスク５０及びインナーシュート５２とアウターシュート６０との壁部によって，カセット７０に至る逆Ｌ字型の搬送通路５４を形成している。
【００１８】
フロントマスク５０は前方に突出した前面部５１を備えている。フロントマスク５０の前面部５１上面は挿入口５３の下側を形成している。インナーシュート５２には，搬送通路５４側に位置した磁気ヘッド５５と光学センサー５６とが並設されている。
【００１９】
また，インナーシュート５２の上端と下端には，プーリ５７，５８が夫々設けられ，その間に搬送ベルト５９が懸加されている。
【００２０】
アウターシュート６０は，搬送通路５４に突出して，挿入検知爪６１が設けられ，フロントマスクのプーリ５７に接触するように，ローラ６２及び６３が設けられている。この挿入検知爪６１は，紙葉類１００が挿入されたとき，その先端部との接触によって，挿入を検知する構成を有する。また，インナーシュート５２の光学センサー５６に搬送通路５４を介して光学センサー６６が対向して設けられている。また，搬送通路５４の終端部で，下端に突出して規制片６８が設けられている。規制片６８は，収納された紙葉類の一端の正面側への移動を防止する。
【００２１】
カセット７０には，収納された紙葉類１００の両側をガイドするために，両側にカセットレール７１を備えている。カセットレール７１の前方には，スタッカプレート７２及びスタッカリンク７３等のスタッカ部材７４を備えている。
【００２２】
アウターシュート６０の下部には，プーリ５８と接触するローラ７５が設けられている。収納された紙葉類１００は，カセットスプリング７７によって，カセットプレート７６を介して，スタッカプレート７２側に付勢されている。以上までは，従来と構成がほぼ同じである。
【００２３】
本発明の実施例に係る紙葉類識別収納装置は，アウターシュート６０の後端寄りに搬送通路５４に沿う方向に突出してソレノイド１０によって駆動されるシャッタ部１を備えている。
【００２４】
図２は図１の紙葉類識別収納装置のシャッタ部を示す正面図である。図２おいては，図１の前面部分の部材は取り除いてある。
【００２５】
図２を参照して，シャッタ部１は，左右一対設けられ，夫々複数のシャッタ爪２，２´を備えたシャッタ支持部材３とを備えている。尚，図２の例においては，シャッタ部１は２個取り付けられているが，それ以上でも構わない。また，図２において，シャッタ爪は，各シャッタ部に４個設けられているが，１個以上であれば，構わない。更に，各々の爪の大きさについては，つね同じ大きさでも，異なっていても構わない。
【００２６】
図３はシャッタ部１を主として示す斜視図である。図３をも参照して，一つのシャッタ部１は，串歯状に正面側に突出した４本のシャッタ爪２と，このシャッタ爪２の基部を連結支持する支持部材３とを一体に備え，この支持部材３の両側に設けられ，下方に延在する板体からなる脚部４を貫通した軸５と，支持部材３を正面側に，図では右後方に向かって付勢するバネ部材６とを備えている。他方にシャッタ部１も同様の構成を有する。これらのシャッタ部１の脚部４のうちの隣接するものの一端は，夫々後方向に突出して，軸５と略平行に，互いに反対方向となるように突出した，係止軸７が夫々設けられている。
【００２７】
この係止軸７は，連結部材１５によって，その軸回りの回転を規制されている。連結部材１５は，軸１６の周りに回転可能に設けられており，正面側には，係止軸７と係合する係合部１７と，軸１６に関して係合部１７とは反対側には，結合部１８とが夫々突出して形成されている。左右の対向した結合部１８の間には，結合軸１９が貫設されており，この結合軸１９は，リンク部１２の一端に接続されている。
【００２８】
ソレノイド１０は，上下方向に移動するソレノイドプランジャー１１を備え，接続軸１３を介して，リンク部１２の一端に接続されている。プランジャー１１が下降すると，係合部１７が上昇し，バネ部材６の弾性によって，前方にシャッタ爪２は移動し，搬送通路５４を遮断する。
【００２９】
図４は本発明の実施例に係る紙葉類識別収納装置の動作説明に供せられる図である。図４を参照して，挿入口５３へ紙葉類の挿入を，挿入検知爪６１が検出すると，ソレノイド１０のプランジャー１１を吸引するその動作で分割したシャッタ部１のシャッタ爪２を同時に搬送通路外へ引き出す。紙葉類１００は搬送ベルト５９によって，搬送通路５４を移動する。
【００３０】
搬送通路５４の後端部側を通過する際に磁気ヘッド５５及びホトセンサ５６，６６によって読み込まれた紙葉類１００は，図示の第１の位置２２で一旦停止し，一時保留され，収納命令または返却命令の待機状態となる。このときシャッタ部１はソレノイド１０のプランジャー１１の吸引停止により搬送通路５４を遮断している。ソレノイド１０の吸引停止は，紙葉類の先端が磁気ヘッド又はホトセンサ５６のいずれかを通過下後，第１の位置２２で一端停止するまであれば，いつでも良い。
【００３１】
この時，読み込まれたデータに基づいて収納命令が出されると，搬送ベルト５９がさらに移動して，さらに紙葉類１００が下降し，第２の停止位置２３で停止する。次に，スタッカプレートが動作して，カセットプレート７６側へ紙葉類１００を圧接し，紙葉類１００の後方への移動に伴って，規制片６８が押されて，通過後，規制片６８に設けられた図示しないバネの復帰力によって元の位置に戻る。同時に紙葉類１００は，第３の位置２４に収納される。
【００３２】
一方，返却命令が出されると，搬送ベルト５９が逆回転し，ソレノイド１０のプランジャ１１を吸引し，シャッタ爪２を搬送通路外へ引き出し，再び搬送通路５４を逆方向に移動して返却される。
【００３３】
ここで，紐２１の付いた紙葉類を使って引き抜きのいたずらをする場合は，待機状態の際に，図３及び図４に示すように，紐２１をシャッタの爪２に引っ掛ける。ここで，図３に示すように，一方のシャッタ爪２が紐により手前に押し下げられても，他方の爪２´は搬送通路を遮断しているために，分割したシャッタ部の一方を搬送通路５４外へ押し込んだ状態で，収容された紙葉類１００を引き抜くことは困難である。
【００３４】
したがって，このように，一方のシャッタ部１のみが移動したとき，すなわち，異常の状態の時，警報を発するような装置を設けば，抜き取りを事前に防ぐことができ防犯の大いに役立つ。
【００３５】
【発明の効果】
以上，説明したように，本発明によれば，シャッタ部材のシャッタ爪の動作を少なくとも２個以上に分割して動作させることにより，紐をシャッタ爪に引っ掛け一方のシャッタ爪が紐により押し下げられても，他方のシャッタ爪は搬送通路を遮断しているため，紙葉類が容易に引き抜けないので，紙葉類を抜き取るような犯罪の予防に役立つ紙葉類識別収納装置を提供することができる。
【図面の簡単な説明】
【図１】本発明の紙葉類識別収納装置の一例を示す側面図である。
【図２】図１の紙葉類識別収納装置のシャッタ部を中心に示す正面図である。
【図３】シャッタ部１を示す斜視図である。
【図４】本発明の実施例に係る紙葉類識別収納装置の動作説明に供せられる図である。
【図５】従来例に係る紙葉類識別収納装置を示す側面断面図である。
【符号の説明】
１    シャッタ部
２，２´    シャッタ爪
３    シャッタ支持部材
４    脚部
５    軸
６    バネ部材
７    係止軸
１０    ソレノイド
１１    ソレノイドプランジャー
１２    リンク部
１３    接続軸
１５    連結部材
１６    軸
１７    係合部
１８    結合部
１９    結合軸
２１    紐
５０    フロントマスク
５１    前面部
５２    インナーシュート
５３    挿入口
５４    搬送通路
５５    磁気ヘッド
５６    光学センサー
５７，５８    プーリ
５９    搬送ベルト
６０    アウターシュート
６１    挿入検知爪
６２，６３    ローラ
６６    光学センサー
６７    エスクロレバー
６８    規制片
７０    カセット
７１    カセットレール
７２    スタッカプレート
７３    スタッカリンク
７４    スタッカ部材
７５    ローラ
７７    カセットスプリング
７６    カセットプレート
１００    紙葉類
【図１】
0003614500.tif 000002
【図２】
0003614500.tif 000003
【図３】
0003614500.tif 000004
【図４】
0003614500.tif 000005
【図５】
0003614500.tif 000006